(57)【特許請求の範囲】
【請求項１】
それぞれ柱、上梁、及び下梁を有する直方体状の骨組みを備える複数の建物ユニットを離し置きし、これらの建物ユニット間に閉塞パネルを配置してユニット式建物を施工するにあたり、それぞれ工場で製造された前記閉塞パネルと前記建物ユニットとを搬送手段で搬送するために前記建物ユニットに前記閉塞パネルを仮固定する仮固定構造であって、
前記上梁に取り付けられる上部仮固定具と、
前記下梁に取り付けられる下部仮固定具と、
前記閉塞パネルの外壁を構成するパネル本体の裏面に固定されるフレームとを備え、
前記フレームは、上横枠と、前記下部仮固定具に着脱自在に取り付けられる下横枠と、
前記上部仮固定具に着脱自在に取り付けられるとともに前記上横枠及び下横枠に接続される縦枠とを備え、
前記下横枠は、前記縦枠の下端が固定され前記下部仮固定具で支持される底板部と、この底板部の前記パネル本体とは反対側の端部から上方に起立して形成される立上部と、この立上部の上端から前記パネル本体とは反対側に向かって水平方向に延びて形成される係合板部とを備える
ことを特徴とする仮固定構造。
【請求項２】
請求項１に記載の仮固定構造において、
前記下横枠は、前記底板部の前記パネル本体側の端部に前記閉塞パネルの押し込みを規制する規制用突起が下方に向けて形成されている
ことを特徴とする仮固定構造。
【請求項３】
請求項１又は請求項２に記載の仮固定構造において、
前記下部仮固定具は、前記縦枠の鉛直面に取り付けられる上部鉛直板部と、前記下梁の鉛直面に取り付けられる下部鉛直板部と、この下部鉛直板部及び前記上部鉛直板部を連結し前記底板部を支持する水平面部と、この水平面部及び前記下部鉛直板部に直交して配置されるリブ部とを有する
ことを特徴とする仮固定構造。
【請求項４】
請求項１〜請求項３のいずれかに記載の仮固定構造において、
前記縦枠は、角筒状に形成され、
前記上部仮固定具は、前記上梁に取り付けられる上部板部と、この上部板部の下側に配置され前記縦枠を係止する角部が形成された係止部を有する
ことを特徴とする仮固定構造。
【請求項５】
それぞれ柱、上梁、及び下梁を有する直方体状の骨組みを備える複数の建物ユニットを離し置きし、これらの建物ユニット間に、上横枠と下横枠と上横枠及び下横枠に接続される縦枠とを有するフレームを備える閉塞パネルを配置してユニット式建物を施工するにあたり、それぞれ工場で製造された前記閉塞パネルと前記建物ユニットとを搬送手段で搬送するために前記建物ユニットに前記閉塞パネルを仮固定する仮固定具であって、
前記縦枠の鉛直面に取り付けられる上部鉛直板部と、
前記下梁の鉛直面に取り付けられる下部鉛直板部と、
この下部鉛直板部及び前記上部鉛直板部を連結し前記下横枠を支持する水平面部と、
この水平面部及び前記下部鉛直板部に直交して配置されるリブ部とを有する
ことを特徴とする仮固定具。
【請求項６】
請求項５に記載の仮固定具が取り付けられていることを特徴とする建物ユニット。
【発明の詳細な説明】
【技術分野】
【０００１】
本発明は、仮固定構造、仮固定構造を構成する仮固定具、及び仮固定具を備える建物ユニットに関する。
【背景技術】
【０００２】
従来、柱、上梁及び下梁により骨組みされた複数の建物ユニットを互いに離し置きし、その離し置きされた建物ユニットの間を閉塞パネルで閉塞して施工するユニット式建物がある。
このような建物ユニット及び閉塞パネルは、現場での建物の施工前に、工場にて製造されてからトラックで現場まで搬送される。
しかしながら、建物ユニットと閉塞パネルとを別々にトラックで搬送しなければならず、輸送効率が悪い。
そこで、建物ユニットと閉塞パネルとを１台のトラックで同時に現場まで搬送できるように、建物ユニットの上梁と下梁との外側に仮固定具を介して閉塞パネルを仮固定する構造が知られている（例えば、特許文献１参照）。
特許文献１には、閉塞パネルを、外壁材となるパネル本体とこのパネル本体の裏面に取り付けられるフレームとにより構成し、仮固定する際には、フレームの下横枠を仮固定具のパネル受け部に置く点が記載されている。
【先行技術文献】
【特許文献】
【０００３】
【特許文献１】特開２０１０−１０１１２１号公報
【発明の概要】
【発明が解決しようとする課題】
【０００４】
しかしながら、閉塞パネルは、パネル本体とフレームとにより構成されているので重く、フレームの下横枠をパネル受け部に移動させることは容易ではない。
また、パネル受け部は閉塞パネルに比べて小さいので、下横枠を直接パネル受け部に載せにくい。そのため、仮固定作業が困難となっている。
【０００５】
そこで、本発明の目的は、仮固定作業が容易な仮固定構造、仮固定具、及び建物ユニットを提供することである。
【課題を解決するための手段】
【０００６】
本発明の仮固定構造は、図面を参照して説明すると、それぞれ柱１０、上梁１１、及び下梁１２を有する直方体状の骨組み１３を備える複数の建物ユニット３を離し置きし、これらの建物ユニット３間に閉塞パネル２１を配置してユニット式建物１を施工するにあたり、それぞれ工場で製造された前記閉塞パネル２１と前記建物ユニット３とを搬送手段で搬送するために前記建物ユニット３に前記閉塞パネル２１を仮固定する仮固定構造であって、前記上梁１１に取り付けられる上部仮固定具４２と、前記下梁１２に取り付けられる下部仮固定具４１と、前記閉塞パネル２１の外壁を構成するパネル本体２２の裏面に固定されるフレーム２３とを備え、前記フレーム２３は、上横枠２３１と、前記下部仮固定具４１に着脱自在に取り付けられる下横枠２３２と、前記上部仮固定具４２に着脱自在に取り付けられるとともに前記上横枠２３１及び下横枠２３２に接続される縦枠２３３とを備え、前記下横枠２３２は、前記縦枠２３３の下端が固定され前記下部仮固定具４１で支持される底板部２３２Ａと、この底板部２３２Ａの前記パネル本体２２とは反対側の端部から上方に起立して形成される立上部２３２Ｂと、この立上部２３２Ｂの上端から前記パネル本体２２とは反対側に向かって水平方向に延びて形成される係合板部２３２Ｃとを備えることを特徴とする。
【０００７】
この構成の発明では、建物ユニットに閉塞パネルを仮固定する際、下横枠の係合板部を下梁又は下部仮固定具に係合させて閉塞パネルを一旦仮置きし、そして、閉塞パネルを少し上方に持ち上げるとともに建物ユニットの内部側に移動させて下横枠を仮固定具に支持させる。その後、仮固定具に下横枠を仮固定する。
従って、下横枠の係合板部を下部仮固定具等に一旦係合させるので、下横枠を一気に仮固定具に支持させる場合に比べて、仮固定作業が容易になる。
【０００８】
ここで、本発明では、前記下横枠２３２は、前記底板部２３２Ａの前記パネル本体２２側の端部に前記閉塞パネル２１の押し込みを規制する規制用突起２３２Ｄが下方に向けて形成されていることが好ましい。
この構成の発明では、閉塞パネルを建物ユニットの内部側に押し込んでも、規制用突起が下梁又は仮固定具に係合する。これにより、閉塞パネルが建物ユニットの内部に抜けてしまうことを防止できる。
【０００９】
また、本発明では、前記下部仮固定具４１は、前記縦枠２３３の鉛直面２３３Ａに取り付けられる上部鉛直板部４１２と、前記下梁１２の鉛直面１２３に取り付けられる下部鉛直板部４１１と、この下部鉛直板部４１１及び前記上部鉛直板部４１２を連結し前記底板部２３２Ａを支持する水平面部４１３と、この水平面部４１３及び前記下部鉛直板部４１１に直交して配置されるリブ部４１４とを有することが好ましい。
この構成の発明では、リブ部が水平面部及び下部鉛直板部に直交して配置されているので、水平面部が大きな荷重を受けても水平面部が曲がることのないように補強できる。
【００１０】
さらに、本発明では、前記縦枠２３３は、角筒状に形成され、前記上部仮固定具４２は、前記上梁１１に取り付けられる上部板部４２１と、この上部板部４２１の下側に配置され前記縦枠２３３を係止する角部４２３が形成された係止部４２２を有することが好ましい。
この構成の発明では、係止部の角部が縦枠を係止するので、上部仮固定具に縦枠を固定する際、容易に位置決めできる。
【００１１】
本発明の仮固定具４１は、それぞれ柱１０、上梁１１、及び下梁１２を有する直方体状の骨組み１３を備える複数の建物ユニット３を離し置きし、これらの建物ユニット３間に、上横枠２３１と下横枠２３２と上横枠２３１及び下横枠２３２に接続される縦枠２３３とを有するフレーム２３を備える閉塞パネル２１を配置してユニット式建物１を施工するにあたり、それぞれ工場で製造された前記閉塞パネル２１と前記建物ユニット３とを搬送手段で搬送するために前記建物ユニット３に前記閉塞パネル２１を仮固定する仮固定具４１であって、前記縦枠２３３の鉛直面２３３Ａに取り付けられる上部鉛直板部４１２と、前記下梁１２の鉛直面１２３に取り付けられる下部鉛直板部４１１と、この下部鉛直板部４１１及び前記上部鉛直板部４１２を連結し前記下横枠２３２を支持する水平面部４１３と、この水平面部４１３及び前記下部鉛直板部４１１に直交して配置されるリブ部４１４とを有することを特徴とする。
この構成の発明では、上述したような下横枠が係合板部を有する場合、建物ユニットに閉塞パネルを仮固定する際、仮固定具に係合板部を一旦係合させることができるので、仮固定作業が容易になる。
【００１２】
本発明の建物ユニットは、上述の仮固定具４１が取り付けられていることを特徴とする。
この構成の発明では、建物ユニットに仮固定具が取り付けられているので、上記のように下横枠が係合板部を有する場合、閉塞パネルを工場で建物ユニットに容易に仮固定できる。そして、現場まで閉塞パネルが仮固定された建物ユニットを容易に搬送できる。
【図面の簡単な説明】
【００１３】
【図１】本発明の一実施形態に係るユニット式建物を示す斜視図。
【図２】図１において、ユニット式建物の離し置き部を説明するための斜視図。
【図３】前記実施形態の閉塞パネルが仮固定された建物ユニットを示す斜視図。
【図４】前記離し置き部の一方の端部を拡大して示す平面図。
【図５】前記建物ユニットに前記閉塞パネルのフレームが仮固定される状態を示す正面図。
【図６】（Ａ）前記フレームの下横枠が仮固定具に仮固定される仮固定構造を示す分解平面図、（Ｂ）（Ａ）における仮固定構造を示す正面図。
【図７】前記下横枠が仮固定具に仮固定される仮固定構造を示す分解斜視図。
【図８】図７における仮固定構造を示す側面図。
【図９】前記フレームの上横枠が上部仮固定具に仮固定される仮固定構造を示す分解斜視図。
【図１０】図９における仮固定構造を示す側面図。
【図１１】前記建物ユニットに閉塞パネルを仮固定するための手順（Ａ）から（Ｃ）を示す側面図。
【発明を実施するための形態】
【００１４】
以下、本発明の実施形態を図面に基づいて説明する。
図１は、本発明の一実施形態に係るユニット式建物１を示す斜視図である。図２は、図１において、ユニット式建物１の離し置き部Ａを説明するための斜視図である。図３は、閉塞パネル２１が仮固定された建物ユニット３を示す斜視図である。図４は、図２に示す離し置き部Ａの一方の端部を拡大して示す平面図である。図４では、建物ユニット３に仮固定された仮固定位置の閉塞パネル２１を実線で示し、施工が完了した際の閉塞パネル２１の本設位置を２点鎖線で示す。図５は、建物ユニット３に閉塞パネル２１のフレーム２３が仮固定される状態を示す正面図である。
図１において、ユニット式建物１（以下、「建物１」と略記する場合がある）は、基礎２の上に設けられた例えば６個の下階建物ユニット３からなる下階部４と、下階部４の下階建物ユニット３の上に載置された同じく６個の上階建物ユニット５からなる上階部６と、上階部６の上方に設けられる屋根部７とを備える。
下階建物ユニット３及び上階建物ユニット５は、それぞれ建物ユニット３，５の短辺方向に３個並べられ、短辺方向に直交する方向である建物ユニット３，５の長辺方向に２個並べられ、かつ、各建物ユニット３，５の短辺側の側面同士、及び、長辺側の側面同士が対向するように配置されている。
短辺方向に並んだ３つの各建物ユニット３，５のうちの２つは、短辺方向に所定の間隔寸法Ｌで互いに離し置きされ、離し置き部Ａが設けられている。
【００１５】
図２，３に示される通り、下階建物ユニット３は、四隅に立設される４本の柱１０と、これらの柱１０の上端間同士を結合する４本の上梁１１と、各柱１０の下端間同士を結合する４本の下梁１２とを含む略直方体状に形成された骨組み１３を有している。
上梁１１は各２本の長辺上梁１１１及び短辺上梁１１２で構成され、下梁１２は各２本の長辺下梁１２１及び短辺下梁１２２で構成されている。また、柱１０と上梁１１及び下梁１２とは、仕口１４を介して接続されている。
【００１６】
図２に示される通り、下階建物ユニット３では、離し置き部Ａが２箇所設けられている。２箇所の離し置き部Ａには、それぞれ閉塞パネル２１及び間隔寸法Ｌに応じた長さの連結梁１６が配置され、この連結梁１６によって離し置きされた建物ユニット３が連結されている。
【００１７】
図３〜５に示される通り、閉塞パネル２１は、外壁となる軽量気泡コンクリート（ＡＬＣ）製のパネル本体２２と、パネル本体２２の裏面に固定されるフレーム２３とを備え、製造工場にて下部仮固定具４１（以下、単に、仮固定具４１と称する）により建物ユニット３の下梁１２に仮固定される。さらに、上部仮固定具４２により建物ユニット３の上梁１１に仮固定された状態で建設現場に搬入される。なお、閉塞パネル２１には、図示しないサッシ窓が設けられていてもよい。
そして、建設現場にて建物ユニット３が基礎２上（図１参照）の所定位置に載置された後、閉塞パネル２１は、建物ユニット３から取り外され、離し置き部Ａの一端にて一対の柱１０を跨ぐようにして配置され、柱１０等にボルトにより接合される。これにより、閉塞パネル２１は隣接する外壁パネル１５と連続して配置される。そして、閉塞パネル２１が離し置き部Ａの隙間を閉塞して、内部に居室空間等を形成する（図２，４参照）。
【００１８】
図６（Ａ）は、フレーム２３の下横枠２３２が仮固定される仮固定構造を示す分解平面図であり、（Ｂ）は、前記（Ａ）における仮固定構造を示す正面図である。図７は、下横枠２３２が仮固定具４１に仮固定される仮固定構造を示す分解斜視図である。図８は、図７における仮固定構造を示す側面図である。
図５〜８に示される通り、本実施形態の仮固定構造は、下梁１２に固定される仮固定具４１と、閉塞パネル２１を構成するフレーム２３とにより構成されている。
フレーム２３は、上横枠２３１と、下横枠２３２と、上横枠２３１及び下横枠２３２に接続される縦枠２３３とを有する。
上横枠２３１は、２本の縦枠２３３の各上縁よりも下側の位置で縦枠２３３に接続されている。この上横枠２３１には、パネル本体２２に固定するための固定具２３１Ａが２つ設けられている。
下横枠２３２は、２本の縦枠２３３の各下端部に接続されている。下横枠２３２は、仮固定具４１に支持される底板部２３２Ａと、この底板部２３２Ａのパネル本体２２と反対側（建物ユニット３の内部側）の端部で上方に起立して形成される立上部２３２Ｂと、この立上部２３２Ｂの上端から建物ユニット３の内部側に向かって水平方向に延びて形成される係合板部２３２Ｃとを有する。
また、底板部２３２Ａはパネル本体２２側の端部で下方に向けて形成される規制用突起２３２Ｄを有する。
底板部２３２Ａのパネル本体２２側の角部には、Ｌ字型に切り欠かれた切欠部２３２Ｅが形成されている。底板部２３２Ａの切欠部２３２Ｅに隣接する位置には、縦枠２３３が溶接される。
なお、底板部２３２Ａの長手方向の両端部には、ボルト孔２３２Ｆが形成されている。このボルト孔２３２Ｆを介して、離し置き部Ａの本設位置にて底板部２３２Ａが連結梁１６に固定される（図２参照）。
【００１９】
図７に示される通り、縦枠２３３は、角筒状に形成されており、パネル本体２２に対向する鉛直面２３３Ａとは反対側の鉛直面２３３Ｃ、及び他方の縦枠２３３に対向する鉛直面２３３Ｂとは反対側の鉛直面２３３Ｄに連続する角部に縦枠切欠部２３３Ｅが形成されている。この縦枠切欠部２３３Ｅを利用して、離し置き部Ａの本設位置で底板部２３２Ａを、ボルト孔２３２Ｆを介して連結梁１６にボルトで接合する。
縦枠２３３は、パネル本体２２に対向する鉛直面２３３Ａにて仮固定具４１に固定されている。
【００２０】
仮固定具４１は、下梁１２の鉛直面１２３に接合される下部鉛直板部４１１と、縦枠２３３の鉛直面２３３Ａに接合される上部鉛直板部４１２と、これら下部鉛直板部４１１及び上部鉛直板部４１２を連結する水平面部４１３とを有する。
下部鉛直板部４１１は、下梁１２の鉛直面１２３に重なるように配置され、ボルト孔４１１Ａを介してボルトにより接合されている。また、下部鉛直板部４１１の上端部は、下梁１２の上面よりも上方に突き出している。
水平面部４１３はその上面で底板部２３２Ａを支持している。また、水平面部４１３の上面は、図８に示される通り、下梁１２に載置された床パネル１２４の平面と水平となっている。
上部鉛直板部４１２は、底板部２３２Ａの切欠部２３２Ｅに対応する位置に形成されている。すなわち、上部鉛直板部４１２は、切欠部２３２Ｅを係止する。上部鉛直板部４１２は、ボルト孔４１２Ａを介して縦枠２３３の下端部とボルトにより接合される。
また、仮固定具４１は、下部鉛直板部４１１及び水平面部４１３に直交して配置される一対のリブ部４１４を有する。これらのリブ部４１４は、縦枠２３３の直下に配置されている。
なお、図８では、パネル本体２２の下端部が上部鉛直板部４１２と緩衝しないように、パネル本体２２を上部鉛直板部４１２よりも上方に設けているが、パネル本体２２に上部鉛直板部４１２が緩衝しない空間を形成して、パネル本体２２が縦枠２３３の下端部まで覆うようにしても良い。
【００２１】
図９は、フレーム２３の縦横枠２３３が上部仮固定具４２に仮固定される仮固定構造を示す分解斜視図である。図１０は、図９における仮固定構造を示す側面図である。
図９，１０に示される通り、上部仮固定具４２は、上梁１１の下面１１Ａに固定される上部板部４２１と、この上部板部４２１の下側に配置され係止部４２２とを有する。
上部板部４２１は、ボルト孔４２１Ｂを介してボルトにより接合されている。
係止部４２２は、平面視で略Ｌ字状に形成され、縦枠２３３の上端部を係止する角部４２３を有する。
係止部４２２の縦枠２３３側の側面４２２Ａは、縦枠２３３の鉛直面２３３Ｂ，２３３Ｃに重なるようにＬ字型に形成され、ボルト孔４２２Ｂを介してボルトにより接合されている。
図１０に示される通り、係止部４２２の角部４２３に縦枠２３３を係止した際、上梁１１とパネル本体２２間には、断面矩形のスペーサー４３が配置されている。なお、縦枠２３３の上端部は、内側パネル２２Ａを介してパネル本体２２に接合されている。
【００２２】
次に、以上のような建物１の施工方法を説明する。
図１１は、建物ユニット３に閉塞パネル２１を仮固定するための手順（Ａ）から（Ｃ）を示す側面図である。
まず、製造工場にて、建物ユニット３と閉塞パネル２１をそれぞれ製造する。
そして、図１１（Ａ）に示される通り、下梁１２に仮固定具４１を固定する。また、仮固定具４１の水平面部４１３が下梁１２に載置された床パネル１２４の平面と水平となるように、仮固定具４１を下梁１２にボルトにより接合する。
そして、水平面部４１３に係合板部２３２Ｃを近づけて、図１１（Ｂ）に示される通り、係合板部２３２Ｃの一方の端部のみを水平面部４１３に係合させる。これにより、仮固定具４１に閉塞パネル２１を一旦仮置きする。
【００２３】
その後、下横枠２３２が上部鉛直板部４１２よりも高くなるように、閉塞パネル２１を持ち上げて、閉塞パネル２１を建物ユニット３の内部側に押し込む。
そして、図１１（Ｃ）に示される通り、下横枠２３２の切欠部２３２Ｅを仮固定具４１の上部鉛直板部４１２に係止させるように、水平面部４１３に底板部２３２Ａを載置する。
さらに、上部鉛直板部４１２に縦枠２３３の下端部をボルトにより接合して、仮固定具４１に閉塞パネル２１を仮固定する。
ここで、水平面部４１３のパネル本体２２側の端縁と規制用突起２３２Ｄとの間には、水平方向に隙間が形成されている。しかし、規制用突起２３２Ｄにより、閉塞パネル２１が建物ユニット３の内部側に完全に押し込まれてしまうことを防止する。
さらに、図９，１０に示される通り、上梁１１に上部仮固定具４２を取り付け、上部仮固定具４２の係止部４２２に縦枠２３３の上端部を係止させて固定する。これにより仮固定作業を完了する。
【００２４】
そして、建物ユニット３をトラックの荷台に載せて建設現場まで搬送する。
建設現場では、図２に示される通り、２つの建物ユニット３を離し置きして、離し置き部Ａを形成し、仮固定された閉塞パネル２１を本設位置に移動させ、本固定する。
その後、上階部６及び屋根部７等を設けて、ユニット式建物１の施工が完了する。
【００２５】
従って、本実施形態では、次の作用効果を奏することができる。
（１）建物ユニット３の下梁１２に仮固定具４１を取り付け、この仮固定具４１にフレーム２３を仮固定する。フレーム２３には、仮固定具４１で支持される底板部２３２Ａと、建物ユニット３の内部側の立上部２３２Ｂと、この建物ユニット３の内部側に延びる係合板部２３２Ｃとを設ける。
そのため、建物ユニット３に閉塞パネル２１を仮固定する際、係合板部２３２Ｃを仮固定具４１に係合させて閉塞パネル２１を一旦仮置きできる。その後、仮固定具４１の上部鉛直板部４１２に縦枠２３３の下端部を取り付けて仮固定するので、下横枠２３２を一気に仮固定具４１に支持させる場合に比べて、仮固定作業が容易になる。
【００２６】
（２）仮固定具４１の上部鉛直板部４１２に対応するように、底板部２３２Ａの端部に切欠部２３２Ｅを形成する。
そのため、仮固定具４１に下横枠２３２を支持させる際、上部鉛直板部４１２が底板部２３２Ａを係止するため、底板部２３２Ａを容易に位置決めできる。
【００２７】
（３）底板部２３２Ａのパネル本体２２側の端部に規制用突起２３２Ｄを設ける。
そのため、閉塞パネル２１を建物ユニット３の内部側に押し込んでも、規制用突起２３２Ｄが仮固定具４１に係合するので、閉塞パネル２１が建物ユニット３の内部に抜けてしまうことを防止できる。
（４）仮固定具４１に、水平面部４１３及び下部鉛直板部４１１に直交して配置されるリブ部４１４を設けるので、水平面部４１３が大きな荷重を受けても水平面部４１３が曲がることのないように補強できる。
【００２８】
（５）縦枠２３３の上端部を仮固定する上部仮固定具４２に、縦枠２３３を係止する角部４２３が形成された係止部４２２を設ける。
そのため、係止部４２２が縦枠２３３を係止するので、上部仮固定具４２に縦枠２３３を固定する際、容易に位置決めできる。
（６）建物ユニット３に仮固定具４１を取り付けるので、閉塞パネル２１を建物ユニット３に容易に仮固定できる。そして、現場までその仮固定された建物ユニット３を容易に搬送できる。
【００２９】
なお、本発明は前記実施形態に限定されるものではなく、本発明の目的を達成できる範囲での変形、改良等は本発明に含まれるものである。
すなわち、図１では、１階に６個の各建物ユニット３を配置した場合を示したが、本実施形態の建物１としては、６個に限らず建物ユニット３を組み合わせて建てられ、各建物ユニット３うちの少なくとも２つを離し置きして形成されたものでもよい。
例えば、図１の建物１において、長辺方向に並べられた２つの各建物ユニット３間に離し置き部Ａをそれぞれ形成してもよい。
また、１階の各建物ユニット３間に閉塞パネル２１を配置するための離し置き部Ａを設けたが、２階の建物ユニット間にも離し置き部Ａを設けて閉塞パネル２１を配置してもよい。
【産業上の利用可能性】
【００３０】
本発明は、戸建て住宅や集合住宅等であってユニット式建物に利用することができる。
【符号の説明】
【００３１】
１…ユニット式建物、３…建物ユニット、１０…柱、１１…上梁、１２…下梁、２１…閉塞パネル、２２…パネル本体、２３…フレーム、４１…仮固定具、４２…上部仮固定具、１２３…鉛直面、２３１…上横枠、２３２…下横枠、２３２Ａ…底板部、２３２Ｂ…立上部、２３２Ｃ…係合板部、２３２Ｄ…規制用突起、２３３…縦枠、２３３Ａ…鉛直面、４１１…下部鉛直板部、４１２…上部鉛直板部、４１３…水平面部、４１４…リブ部、４２１…上部板部、４２２…係止部、４２３…角部
【図１】
0005490635.tif 000002
【図２】
0005490635.tif 000003
【図３】
0005490635.tif 000004
【図４】
0005490635.tif 000005
【図５】
0005490635.tif 000006
【図６】
0005490635.tif 000007
【図７】
0005490635.tif 000008
【図８】
0005490635.tif 000009
【図９】
0005490635.tif 000010
【図１０】
0005490635.tif 000011
【図１１】
0005490635.tif 000012